(57)【要約】【課題】高品質の画像を表示しつつ、選択トランジスタの耐圧を低減すると共に信頼性を向上させる。【解決手段】１フレームは複数のサブフィールドＳＦに分割されている。書込期間Ｔｘでは、データ線を介してデータ電位を画素に書き込む。リセット期間Ｔｙでは、２本の走査線を選択して１走査線選択期間あたり２行の画素にリセット電位である対向電極電位を書き込む。反転期間Ｔｚでは、保持容量電位および対向電極電位の極性を反転させる。【選択図】図５
2010044295.tif 000002
【特許請求の範囲】
【請求項１】
第１期間、第２期間および第３期間を一つの単位期間として駆動する電気光学装置であって、
複数の走査線と、
複数のデータ線と、
前記走査線と前記データ線との交差に対応して設けられた複数の画素と、
前記複数の走査線のうち、上半分の走査線を駆動する第１走査線駆動回路と、
前記複数の走査線のうち、下半分の走査線を駆動する第２走査線駆動回路と、
前記複数のデータ線を駆動するデータ線駆動回路とを備え、
前記複数の画素の各々は、画素電極、対向電極、およびこれらの間に挟持された電気光学物質からなる電気光学素子と、前記画素電極と前記データ線との間に設けられ、前記走査線を介して供給される走査信号によってオン状態またはオフ状態の一方の状態となるように制御されるスイッチング素子とを有し、
１所定期間を２分割した前半期間と後半期間とのうち、一方の期間を第１所定期間、他方の期間を第２所定期間としたとき、
ある単位期間において、
前記第１期間では、
前記第１走査線駆動回路は、前記第１所定期間に前記スイッチング素子をオン状態とする走査信号を前記上半分の走査線に順次供給し、
前記第２走査線駆動回路は、前記第２所定期間に前記スイッチング素子をオン状態とする走査信号を前記下半分の走査線に順次供給し、
前記データ線駆動回路は、前記対向電極の電位を基準として表示すべき画像に応じた正極性の電位を前記複数のデータ線に供給し、
前記第２期間では、
前記第１走査線駆動回路は、前記第１所定期間に前記スイッチング素子をオン状態とする走査信号を前記上半分の走査線に順次供給し、
前記第２走査線駆動回路は、前記第２所定期間に前記スイッチング素子をオン状態とする走査信号を前記下半分の走査線に順次供給し、
前記データ線駆動回路は、前記画素電極の電位を前記対向電極の電位に近づけるリセット電位を前記複数のデータ線に供給し、
前記第３期間では、
前記対向電極の電位を、第１電位および第２電位のうち一方の電位から他方の電位に遷移させ、
ある単位期間に続く次の単位期間では、
前記第１期間では、
前記第１走査線駆動回路は、前記第１所定期間に前記スイッチング素子をオン状態とする走査信号を前記上半分の走査線に順次供給し、
前記第２走査線駆動回路は、前記第２所定期間に前記スイッチング素子をオン状態とする走査信号を前記下半分の走査線に順次供給し、
前記データ線駆動回路は、前記対向電極の電位を基準として表示すべき画像に応じた負極性の電位を前記複数のデータ線に供給し、
前記第２期間では、
前記第１走査線駆動回路は、前記第１所定期間に前記スイッチング素子をオン状態とする走査信号を前記上半分の走査線に順次供給し、
前記第２走査線駆動回路は、前記第２所定期間に前記スイッチング素子をオン状態とする走査信号を前記下半分の走査線に順次供給し、
前記データ線駆動回路は、前記画素電極の電位を前記対向電極の電位に近づけるリセット電位を前記複数のデータ線に供給し、
前記第３期間では、
前記対向電極の電位を、第１電位および第２電位のうち他方の電位から一方の電位に遷移させる、
ことを特徴とする電気光学装置。    
【請求項２】
前記複数の走査線を上から下に選択する方向と下から上に選択する方向とのうち、一方の方向を第１方向、他方の方向を第２方向としたとき、
前記第２期間において、前記第１走査線駆動回路は、前記上半分の走査線を前記第１方向に選択し、前記第２走査線駆動回路は、前記下半分の走査線を前記第２方向に選択する、
ことを特徴とする請求項１に記載の電気光学装置。
【請求項３】
第１期間、第２期間および第３期間を一つの単位期間として駆動する電気光学装置であって、
複数の第１走査線と、複数の第１データ線と、前記複数の第１走査線と前記複数の第１データ線との交差に対応して設けられた複数の第１画素と、
複数の第２走査線と、複数の第２データ線と、前記複数の第２走査線と前記複数の第２データ線との交差に対応して設けられた複数の第２画素と、
前記複数の第１走査線を駆動する第１走査線駆動回路と、
前記複数の第２走査線を駆動する第２走査線駆動回路と、
前記複数の第１データ線を駆動する第１データ線駆動回路と、
前記複数の第２データ線を駆動する第２データ線駆動回路と、
前記複数の第１画素および前記複数の第２画素の各々は、画素電極、対向電極、およびこれらの間に挟持された電気光学物質からなる電気光学素子と、前記画素電極と前記第１データ線または前記第２データ線との間に設けられ、前記第１走査線または前記第２走査線を介して供給される走査信号によってオン状態またはオフ状態の一方の状態となるように制御されるスイッチング素子とを有し、
ある単位期間において、
前記第１期間では、
前記第１走査線駆動回路は、所定期間ごとに前記スイッチング素子をオン状態とする走査信号を前記第１走査線に順次供給し、前記第２走査線駆動回路は、所定期間ごとに前記スイッチング素子をオン状態とする走査信号を前記第２走査線に順次供給し、
前記第１データ線駆動回路は、前記対向電極の電位を基準として表示すべき画像に応じた正極性の電位を前記複数の第１データ線に供給し、前記第２データ線駆動回路は、前記対向電極の電位を基準として表示すべき画像に応じた正極性の電位を前記複数の第２データ線に供給し、
前記第２期間では、
前記第１走査線駆動回路は、所定期間ごとに前記スイッチング素子をオン状態とする走査信号を前記第１走査線に順次供給し、前記第２走査線駆動回路は、所定期間ごとに前記スイッチング素子をオン状態とする走査信号を前記第２走査線に順次供給し、
前記第１データ線駆動回路は、前記画素電極の電位を前記対向電極の電位に近づけるリセット電位を前記複数の第１データ線に供給し、前記第２データ線駆動回路は、前記リセット電位を前記複数の第２データ線に供給し、
前記第３期間では、
前記対向電極の電位を、第１電位および第２電位のうち一方の電位から他方の電位に遷移させ、
ある単位期間に続く次の単位期間では、
前記第１期間では、
前記第１走査線駆動回路は、所定期間ごとに前記スイッチング素子をオン状態とする走査信号を前記第１走査線に順次供給し、前記第２走査線駆動回路は、所定期間ごとに前記スイッチング素子をオン状態とする走査信号を前記第２走査線に順次供給し、
前記第１データ線駆動回路は、前記対向電極の電位を基準として表示すべき画像に応じた負極性の電位を前記複数の第１データ線に供給し、前記第２データ線駆動回路は、前記対向電極の電位を基準として表示すべき画像に応じた負極性の電位を前記複数の第２データ線に供給し、
前記第２期間では、
前記第１走査線駆動回路は、所定期間ごとに前記スイッチング素子をオン状態とする走査信号を前記第１走査線に順次供給し、前記第２走査線駆動回路は、所定期間ごとに前記スイッチング素子をオン状態とする走査信号を前記第２走査線に順次供給し、
前記第１データ線駆動回路は、前記リセット電位を前記複数の第１データ線に供給し、前記第２データ線駆動回路は、前記リセット電位を前記複数の第２データ線に供給し、
前記第３期間では、
前記対向電極の電位を、第１電位および第２電位のうち他方の電位から一方の電位に遷移させる、
ことを特徴とする電気光学装置。
【請求項４】
前記複数の走査線を上から下に選択する方向と下から上に選択する方向とのうち、一方の方向を第１方向、他方の方向を第２方向としたとき、
前記第２期間において、前記第１走査線駆動回路は、前記第１走査線を前記第１方向に選択し、前記第２走査線駆動回路は、前記第２走査線を前記第２方向に選択する、
ことを特徴とする請求項３に記載の電気光学装置。
【請求項５】
第１期間、第２期間および第３期間を一つの単位期間として駆動する電気光学装置であって、
複数の走査線と、
複数のデータ線と、
前記走査線と前記データ線との交差に対応して設けられた複数の画素と、
前記複数の走査線のうち、奇数番目の走査線を駆動する第１走査線駆動回路と、
前記複数の走査線のうち、偶数番目の走査線を駆動する第２走査線駆動回路と、
前記複数のデータ線を駆動するデータ線駆動回路とを備え、
前記複数の画素の各々は、画素電極、対向電極、およびこれらの間に挟持された電気光学物質からなる電気光学素子と、前記画素電極と前記データ線との間に設けられ、前記走査線を介して供給される走査信号によってオン状態またはオフ状態の一方の状態となるように制御されるスイッチング素子とを有し、
１所定期間を２分割した前半期間と後半期間とのうち、一方の期間を第１所定期間、他方の期間を第２所定期間としたとき、
ある単位期間において、
前記第１期間では、
前記第１走査線駆動回路は、前記第１所定期間に前記スイッチング素子をオン状態とする走査信号を前記奇数番目の走査線に順次供給し、
前記第２走査線駆動回路は、前記第２所定期間に前記スイッチング素子をオン状態とする走査信号を前記偶数番目の走査線に順次供給し、
前記データ線駆動回路は、前記対向電極の電位を基準として表示すべき画像に応じた正極性の電位を前記複数のデータ線に供給し、
前記第２期間では、
前記第１走査線駆動回路は、前記第１所定期間に前記スイッチング素子をオン状態とする走査信号を前記奇数番目の走査線に順次供給し、
前記第２走査線駆動回路は、前記第２所定期間に前記スイッチング素子をオン状態とする走査信号を前記偶数番目の走査線に順次供給し、
前記データ線駆動回路は、前記画素電極の電位を前記対向電極の電位に近づけるリセット電位を前記複数のデータ線に供給し、
前記第３期間では、
前記対向電極の電位を、第１電位および第２電位のうち一方の電位から他方の電位に遷移させ、
ある単位期間に続く次の単位期間では、
前記第１期間では、
前記第１走査線駆動回路は、前記第１所定期間に前記スイッチング素子をオン状態とする走査信号を前記奇数番目の走査線に順次供給し、
前記第２走査線駆動回路は、前記第２所定期間に前記スイッチング素子をオン状態とする走査信号を前記偶数番目の走査線に順次供給し、
前記データ線駆動回路は、前記対向電極の電位を基準として表示すべき画像に応じた負極性の電位を前記複数のデータ線に供給し、
前記第２期間では、
前記第１走査線駆動回路は、前記第１所定期間に前記スイッチング素子をオン状態とする走査信号を前記奇数番目の走査線に順次供給し、
前記第２走査線駆動回路は、前記第２所定期間に前記スイッチング素子をオン状態とする走査信号を前記偶数番目の走査線に順次供給し、
前記データ線駆動回路は、前記画素電極の電位を前記対向電極の電位に近づけるリセット電位を前記複数のデータ線に供給し、
前記第３期間では、
前記対向電極の電位を、第１電位および第２電位のうち他方の電位から一方の電位に遷移させる、
ことを特徴とする電気光学装置。
【請求項６】
前記複数の走査線を上から下に選択する方向と下から上に選択する方向とのうち、一方の方向を第１方向、他方の方向を第２方向としたとき、
前記第２期間において、前記第１走査線駆動回路は、前記奇数番目の走査線を前記第１方向に選択し、前記第２走査線駆動回路は、前記偶数番目の走査線を前記第２方向に選択する、
ことを特徴とする請求項３に記載の電気光学装置。
【請求項７】
前記リセット電位は前記対向電極の電位と一致することを特徴とする請求項１乃至６のうちいずれか１項に記載の電気光学装置。
【請求項８】
前記第２電位が前記第１電位より高電位であるとしたとき、前記第２電位は前記第１期間における前記データ線の最大電位と一致し、前記第１電位は前記第１期間における前記データ線の最小電位と一致することを特徴とする請求項１乃至７のうちいずれか１項に記載の電気光学装置。
【請求項９】
請求項８に記載の電気光学装置を備えた電子機器。
【発明の詳細な説明】
【技術分野】
【０００１】
本発明は、液晶など電気光学物質を用いた電気光学装置、その駆動方法および電子機器に関する。
【背景技術】
【０００２】
電気エネルギーによって光学特性が変化する電気光学物質として、液晶が知られている。液晶は印加電圧に応じて透過率が変化する。この透過率の変化は、液晶分子の配向状態が印加電圧に応じて変化することによって得られる。また、液晶には、直流電圧を長時間印加すると、配向状態が元に戻りにくくなる性質がある。このため、液晶を表示装置に適用した液晶表示装置では、電気光学素子たる液晶素子に印加する電圧の極性を反転する交流駆動が採用される。
液晶表示装置は、複数の走査線と、複数のデータ線と、走査線とデータ線の交差に対応して設けられた複数の画素を備える。複数の画素は、画素電極、対向電極、およびこれらの間に挟持された液晶からなる液晶素子を有する。
液晶素子への印加電圧を反転する手法として、対向電極の電位（以下、対向電極電位と称する）を固定し、データ線を介して供給するデータ電位の極性を、対向電極電位を中心して反転させるものが知られている。また、特許文献１には対向電極電位の極性をデータ電位の振幅の中心電位を基準として反転させると共に、データ電位についても極性を反転させる手法が開示されている。
【０００３】
図２２に従来の駆動方法による画素の各部の電位変化を示す。この例では、液晶ＬＣは印加電圧が０Ｖの場合に透過率が最大となるノーマリーホワイトであり、液晶素子６０への印加電圧の最大値は５Ｖ、保持容量線電位ＶＣＯＭおよび対向電極電位ＬＣＣＯＭは２Ｖと７Ｖのいずれか一方となるものとする。
まず、直前のフレームでは、保持容量線電位ＶＣＯＭおよび対向電極電位ＬＣＣＯＭは２Ｖとなっている。この場合の黒表示では、画素電極５３に７Ｖのデータ電位が書き込まれており、液晶ＬＣに印加される電圧は５Ｖとなっている。
この状態で保持容量線電位ＶＣＯＭおよび対向電極電位ＬＣＣＯＭの極性が４．５Ｖを中心に反転すると、保持容量線電位ＶＣＯＭおよび対向電極電位ＬＣＣＯＭは２Ｖから７Ｖに変化する。すると、画素電極５３の電位は７Ｖから１２Ｖに変化する。
ここで、データ線２０を介して２Ｖのデータ電位が画素Ｐ１に書き込まれたとする。このとき、画素Ｐ１の選択トランジスタ５１はオン状態となり、画素電極５３の電位は１２Ｖから２Ｖに変化する。
仮に、保持容量線電位ＶＣＯＭおよび対向電極電位ＬＣＣＯＭを２Ｖに固定したとすると、液晶素子６０に印加する電圧の極性を反転するためには、データ電位を−３Ｖにする必要がある。この場合には、データ線２０を７Ｖから−３Ｖに変化させる必要があるためデータ電位の振幅が１０Ｖになるが、上述した手法によれば、データ電位の振幅を５Ｖに低減することができる。
【０００４】
【特許文献１】特開２００５−２４１７４１号公報
【発明の開示】
【発明が解決しようとする課題】
【０００５】
しかしながら、画素Ｐ２に着目すると、画素Ｐ１に２Ｖのデータ電位が書き込まれているとき、画素Ｐ２の選択トランジスタ５１はオフ状態となっているので、当該選択トランジスタ５１のドレイン・ソース間には１０Ｖの電圧が印加される。すなわち、従来の駆動方法ではデータ電位の振幅を低減することはできるが、選択トランジスタ５１にはデータ電位の振幅の２倍の電圧が印加されるため、大きな耐圧が必要とされるといった問題があった。また、選択トランジスタ５１に大きな電圧を印加すると、選択トランジスタ５１の経時劣化が早く進行するため、信頼性が低下するといった問題があった。
さらに、画像表示に寄与しない時間が長くなると、表示品質が劣化するといった問題があった。
本発明は、このような事情に鑑みてなされたものであり、高品質の画像を表示しつつ、画素に設けられたスイッチング素子の耐圧を低減すると共に信頼性を向上させることなどを解決課題とする。
【課題を解決するための手段】
【０００６】
上述した課題を解決するために、本発明に係る電気光学装置は、第１期間（例えば、図５に示す書込期間Ｔｘ）、第２期間（例えば、図５に示すリセット期間Ｔｙ）および第３期間（例えば、図５に示す反転期間Ｔｚ）を一つの単位期間（例えば、図５に示す１フレーム）として駆動するものであって、複数の走査線と、複数のデータ線と、前記走査線と前記データ線との交差に対応して設けられた複数の画素と、前記複数の走査線のうち、上半分の走査線を駆動する第１走査線駆動回路と、前記複数の走査線のうち、下半分の走査線を駆動する第２走査線駆動回路と、前記複数のデータ線を駆動するデータ線駆動回路とを備え、前記複数の画素の各々は、画素電極、対向電極、およびこれらの間に挟持された電気光学物質からなる電気光学素子と、前記画素電極と前記データ線との間に設けられ、前記走査線を介して供給される走査信号によってオン状態またはオフ状態の一方の状態となるように制御されるスイッチング素子（例えば、図２に示す選択トランジスタ５１）とを有し、１所定期間（例えば、実施形態の走査線選択期間）を２分割した前半期間と後半期間とのうち、一方の期間を第１所定期間、他方の期間を第２所定期間としたとき、ある単位期間において、前記第１期間では、前記第１走査線駆動回路は、前記第１所定期間に前記スイッチング素子をオン状態とする走査信号を前記上半分の走査線に順次供給し、前記第２走査線駆動回路は、前記第２所定期間に前記スイッチング素子をオン状態とする走査信号を前記下半分の走査線に順次供給し、前記データ線駆動回路は、前記対向電極の電位を基準として表示すべき画像に応じた正極性の電位を前記複数のデータ線に供給し、前記第２期間では、前記第１走査線駆動回路は、前記第１所定期間に前記スイッチング素子をオン状態とする走査信号を前記上半分の走査線に順次供給し、前記第２走査線駆動回路は、前記第２所定期間に前記スイッチング素子をオン状態とする走査信号を前記下半分の走査線に順次供給し、前記データ線駆動回路は、前記画素電極の電位を前記対向電極の電位に近づけるリセット電位を前記複数のデータ線に供給し、前記第３期間では、前記対向電極の電位を、第１電位および第２電位のうち一方の電位から他方の電位に遷移させ、ある単位期間に続く次の単位期間では、前記第１期間では、前記第１走査線駆動回路は、前記第１所定期間に前記スイッチング素子をオン状態とする走査信号を前記上半分の走査線に順次供給し、前記第２走査線駆動回路は、前記第２所定期間に前記スイッチング素子をオン状態とする走査信号を前記下半分の走査線に順次供給し、前記データ線駆動回路は、前記対向電極の電位を基準として表示すべき画像に応じた負極性の電位を前記複数のデータ線に供給し、前記第２期間では、前記第１走査線駆動回路は、前記第１所定期間に前記スイッチング素子をオン状態とする走査信号を前記上半分の走査線に順次供給し、前記第２走査線駆動回路は、前記第２所定期間に前記スイッチング素子をオン状態とする走査信号を前記下半分の走査線に順次供給し、前記データ線駆動回路は、前記画素電極の電位を前記対向電極の電位に近づけるリセット電位を前記複数のデータ線に供給し、前記第３期間では、前記対向電極の電位を、第１電位および第２電位のうち他方の電位から一方の電位に遷移させることを特徴とする。
【０００７】
この発明において、電気光学素子は画素電極と対向電極との間に電気光学物質を挟持されて構成されるので、容量素子として機能する。したがって、対向電極の電位の極性が反転すると、画素電極の電位は対向電極の電位の変化分だけ遷移する。本発明では、対向電極の電位の極性反転（第１電位と第２電位間の遷移）に先立って、画素電極の電位を対向電極の電位に近づけるように変更するから、次の単位期間で信号電位の極性が反転してもスイッチング素子に印加される電圧を低減することができる。これにより、スイッチング素子の耐圧を下げることが可能となる。また、実際のスイッチング素子（例えば、薄膜トランジスタ）は、大きな電圧が印加されると、電気的特性が早く劣化する。本発明では、スッチング素子の印加電圧を低減できるので、素子の劣化を抑制して、電気光学装置の信頼性を向上させることが可能となる。
【０００８】
くわえて、リセット電位を書き込む第２期間においては、１所定期間を２分割した第１所定期間と第２所定期間の各々において走査線を選択する。したがって、１つの所定期間で２つの行の画素にリセット電位を書き込むことができる。このため、所定期間ごとに１本の走査線を選択する場合と比較して、全ての画素にリセット電位を書き込む第２期間を短くすることができる。よって、単位期間に占める第１期間の割合を大きくすることができる。第１期間は表示すべき階調に応じたデータ電位を画素に書き込む時間であるから、この時間を長くすることにより、高品質の画像を表示することが可能となる。
【０００９】
ここで、前記複数の走査線を上から下に選択する方向と下から上に選択する方向とのうち、一方の方向を第１方向、他方の方向を第２方向としたとき、前記第２期間において、前記第１走査線駆動回路は、前記上半分の走査線を前記第１方向に選択し、前記第２走査線駆動回路は、前記下半分の走査線を前記第２方向に選択することが好ましい。
上半分の走査線と下半分の走査線とを同じ方向に走査する場合、それらの境界では、駆動条件が大きく相違するため、輝度差として人の視覚で認識されることがある。これに対して、上半分の走査線と下半分の走査線とを逆の方向に走査すれば、境界部分での駆動条件を揃えることができるので輝度差を大幅に低減することが可能となる。
【００１０】
次に、本発明に係る電気光学装置は、第１期間、第２期間および第３期間を一つの単位期間として駆動するものであって、複数の第１走査線と、複数の第１データ線と、前記複数の第１走査線と前記複数の第１データ線との交差に対応して設けられた複数の第１画素と、複数の第２走査線と、複数の第２データ線と、前記複数の第２走査線と前記複数の第２データ線との交差に対応して設けられた複数の第２画素と、前記複数の第１走査線を駆動する第１走査線駆動回路と、前記複数の第２走査線を駆動する第２走査線駆動回路と、前記複数の第１データ線を駆動する第１データ線駆動回路と、前記複数の第２データ線を駆動する第２データ線駆動回路と、前記複数の第１画素および前記複数の第２画素の各々は、画素電極、対向電極、およびこれらの間に挟持された電気光学物質からなる電気光学素子と、前記画素電極と前記第１データ線または前記第２データ線との間に設けられ、前記第１走査線または前記第２走査線を介して供給される走査信号によってオン状態またはオフ状態の一方の状態となるように制御されるスイッチング素子（例えば、図２に示す選択トランジスタ５１）とを有し、ある単位期間において、前記第１期間では、前記第１走査線駆動回路は、所定期間ごとに前記スイッチング素子をオン状態とする走査信号を前記第１走査線に順次供給し、前記第２走査線駆動回路は、所定期間ごとに前記スイッチング素子をオン状態とする走査信号を前記第２走査線に順次供給し、前記第１データ線駆動回路は、前記対向電極の電位を基準として表示すべき画像に応じた正極性の電位を前記複数の第１データ線に供給し、前記第２データ線駆動回路は、前記対向電極の電位を基準として表示すべき画像に応じた正極性の電位を前記複数の第２データ線に供給し、前記第２期間では、前記第１走査線駆動回路は、所定期間ごとに前記スイッチング素子をオン状態とする走査信号を前記第１走査線に順次供給し、前記第２走査線駆動回路は、所定期間ごとに前記スイッチング素子をオン状態とする走査信号を前記第２走査線に順次供給し、前記第１データ線駆動回路は、前記画素電極の電位を前記対向電極の電位に近づけるリセット電位を前記複数の第１データ線に供給し、前記第２データ線駆動回路は、前記リセット電位を前記複数の第２データ線に供給し、前記第３期間では、前記対向電極の電位を、第１電位および第２電位のうち一方の電位から他方の電位に遷移させ、ある単位期間に続く次の単位期間では、前記第１期間では、前記第１走査線駆動回路は、所定期間ごとに前記スイッチング素子をオン状態とする走査信号を前記第１走査線に順次供給し、前記第２走査線駆動回路は、所定期間ごとに前記スイッチング素子をオン状態とする走査信号を前記第２走査線に順次供給し、前記第１データ線駆動回路は、前記対向電極の電位を基準として表示すべき画像に応じた負極性の電位を前記複数の第１データ線に供給し、前記第２データ線駆動回路は、前記対向電極の電位を基準として表示すべき画像に応じた負極性の電位を前記複数の第２データ線に供給し、前記第２期間では、前記第１走査線駆動回路は、所定期間ごとに前記スイッチング素子をオン状態とする走査信号を前記第１走査線に順次供給し、前記第２走査線駆動回路は、所定期間ごとに前記スイッチング素子をオン状態とする走査信号を前記第２走査線に順次供給し、前記第１データ線駆動回路は、前記リセット電位を前記複数の第１データ線に供給し、前記第２データ線駆動回路は、前記リセット電位を前記複数の第２データ線に供給し、前記第３期間では、前記対向電極の電位を、第１電位および第２電位のうち他方の電位から一方の電位に遷移させることを特徴とする。
【００１１】
この発明によれば、対向電極の電位の極性反転に先立って、画素電極の電位を対向電極の電位に近づけるように変更するから、次の単位期間で信号電位の極性が反転してもスイッチング素子に印加される電圧を低減することができる。これにより、スイッチング素子の耐圧を下げることができ、スイッチング素子の劣化を抑制して、電気光学装置の信頼性を向上させることが可能となる。
【００１２】
くわえて、リセット電位を書き込む第２期間においては、１所定期間で第１走査線と第２走査線を選択して、第１データ線と第２データ線とを介して、第１画素と第２画素との各々にリセット電位を書き込むことができる。したがって、１つの所定期間で２つの行の画素にリセット電位を書き込むことから、所定期間ごとに１本の走査線を選択する場合と比較して、全ての画素にリセット電位を書き込む第２期間を短くすることができる。よって、単位期間に占める第１期間の割合を大きくし、高品質の画像を表示することが可能となる。
【００１３】
さらに、データ線を第１データ線と第２データ線に分割し、各々を独立して駆動しているので、１所定期間を時間的に分割してリセット電位を書き込む必要がない。つまり長い時間をかけてリセット電位を画素に書き込むことができる。このため、リセット電位を高い精度で書き込むことができ、スイッチング素子の耐圧を確実に低減することが可能となる。
【００１４】
ここで、前記複数の走査線を上から下に選択する方向と下から上に選択する方向とのうち、一方の方向を第１方向、他方の方向を第２方向としたとき、前記第２期間において、前記第１走査線駆動回路は、前記第１走査線を前記第１方向に選択し、前記第２走査線駆動回路は、前記第２走査線を前記第２方向に選択することが好ましい。第１走査線と第２走査線とを同じ方向に走査する場合、それらの境界では、駆動条件が大きく相違するため、輝度差として人の視覚で認識されることがある。これに対して、第１走査線と第２走査線とを逆の方向に走査すれば、境界部分での駆動条件を揃えることができるので輝度差を大幅に低減することが可能となる。
【００１５】
次に、本発明に係る電気光学装置は、第１期間、第２期間および第３期間を一つの単位期間として駆動するものであって、複数の走査線と、複数のデータ線と、前記走査線と前記データ線との交差に対応して設けられた複数の画素と、前記複数の走査線のうち、奇数番目の走査線を駆動する第１走査線駆動回路と、前記複数の走査線のうち、偶数番目の走査線を駆動する第２走査線駆動回路と、前記複数のデータ線を駆動するデータ線駆動回路とを備え、前記複数の画素の各々は、画素電極、対向電極、およびこれらの間に挟持された電気光学物質からなる電気光学素子と、前記画素電極と前記データ線との間に設けられ、前記走査線を介して供給される走査信号によってオン状態またはオフ状態の一方の状態となるように制御されるスイッチング素子（例えば、図２に示す選択トランジスタ５１）とを有し、１所定期間を２分割した前半期間と後半期間とのうち、一方の期間を第１所定期間、他方の期間を第２所定期間としたとき、ある単位期間において、前記第１期間では、前記第１走査線駆動回路は、前記第１所定期間に前記スイッチング素子をオン状態とする走査信号を前記奇数番目の走査線に順次供給し、前記第２走査線駆動回路は、前記第２所定期間に前記スイッチング素子をオン状態とする走査信号を前記偶数番目の走査線に順次供給し、前記データ線駆動回路は、前記対向電極の電位を基準として表示すべき画像に応じた正極性の電位を前記複数のデータ線に供給し、前記第２期間では、前記第１走査線駆動回路は、前記第１所定期間に前記スイッチング素子をオン状態とする走査信号を前記奇数番目の走査線に順次供給し、前記第２走査線駆動回路は、前記第２所定期間に前記スイッチング素子をオン状態とする走査信号を前記偶数番目の走査線に順次供給し、前記データ線駆動回路は、前記画素電極の電位を前記対向電極の電位に近づけるリセット電位を前記複数のデータ線に供給し、前記第３期間では、前記対向電極の電位を、第１電位および第２電位のうち一方の電位から他方の電位に遷移させ、ある単位期間に続く次の単位期間では、前記第１期間では、前記第１走査線駆動回路は、前記第１所定期間に前記スイッチング素子をオン状態とする走査信号を前記奇数番目の走査線に順次供給し、前記第２走査線駆動回路は、前記第２所定期間に前記スイッチング素子をオン状態とする走査信号を前記偶数番目の走査線に順次供給し、前記データ線駆動回路は、前記対向電極の電位を基準として表示すべき画像に応じた負極性の電位を前記複数のデータ線に供給し、前記第２期間では、前記第１走査線駆動回路は、前記第１所定期間に前記スイッチング素子をオン状態とする走査信号を前記奇数番目の走査線に順次供給し、前記第２走査線駆動回路は、前記第２所定期間に前記スイッチング素子をオン状態とする走査信号を前記偶数番目の走査線に順次供給し、前記データ線駆動回路は、前記画素電極の電位を前記対向電極の電位に近づけるリセット電位を前記複数のデータ線に供給し、前記第３期間では、前記対向電極の電位を、第１電位および第２電位のうち他方の電位から一方の電位に遷移させることを特徴とする。
【００１６】
この発明によれば、対向電極の電位の極性反転に先立って、画素電極の電位を対向電極の電位に近づけるように変更するから、次の単位期間で信号電位の極性が反転してもスイッチング素子に印加される電圧を低減することができる。これにより、スイッチング素子の耐圧を下げることができ、スイッチング素子の劣化を抑制して、電気光学装置の信頼性を向上させることが可能となる。
【００１７】
くわえて、リセット電位を書き込む第２期間においては、１所定期間で奇数番目の走査線と偶数番目の走査線を時分割で選択して、データ線を介して画素にリセット電位を書き込むことができる。したがって、１つの所定期間で２つの行の画素にリセット電位を書き込むことから、所定期間ごとに１本の走査線を選択する場合と比較して、全ての画素にリセット電位を書き込む第２期間を短くすることができる。よって、単位期間に占める第１期間の割合を大きくし、高品質の画像を表示することが可能となる。
【００１８】
ここで、前記複数の走査線を上から下に選択する方向と下から上に選択する方向とのうち、一方の方向を第１方向、他方の方向を第２方向としたとき、前記第２期間において、前記第１走査線駆動回路は、前記奇数番目の走査線を前記第１方向に選択し、前記第２走査線駆動回路は、前記偶数番目の走査線を前記第２方向に選択することが好ましい。この場合、隣接する行における駆動条件の差は、画像表示領域の中心から離れるについて、次第に大きくなる。したがって、隣接する行における駆動条件の差が突如として大きくなることはないので、人の視覚で認識される輝度差を低減することができる。
【００１９】
上述した電気光学装置において、前記リセット電位は前記対向電極の電位と一致することが好ましい。このように設定することによって、スッチング素子に印加される電圧をより一層低減することが可能となる。
【００２０】
また、上述した電気光学装置において、前記第２電位が前記第１電位より高電位であるとしたとき、前記第２電位は前記第１期間における前記データ線の最大電位と一致し、前記第１電位は前記第１期間における前記データ線の最小電位と一致することが好ましい。この場合には、電源の利用効率を向上させることができる。
【００２１】
次に、本発明に係る電子機器は、上述した電気光学装置を備えることを特徴とする。この電子機器としては、例えばパーソナルコンピュータ、携帯電話機、及び情報携帯端末等が含まれる。
【発明を実施するための最良の形態】
【００２２】
＜１．第１実施形態＞
本発明の実施形態に係る電気光学装置は、電気光学材料として液晶を用いる。電気光学装置１Ａは、主要部として液晶パネル（電気光学パネルの一例）を備える。液晶パネルは、スイッチング素子として薄膜トランジスタ（Thin Film Transistor：以下、「ＴＦＴ」と称する）を形成した素子基板と対向基板とを互いに電極形成面を対向させて、かつ、一定の間隙を保って貼付し、この間隙に液晶が挟持されている。
【００２３】
図１は第１実施形態に係る電気光学装置１Ａの全体構成を示すブロック図である。この電気光学装置１Ａは、走査線駆動回路１００Ａおよび１００Ｂ、データ線駆動回路２００、制御回路３００、電源回路４００、および画像表示領域Ａを備える。これらの構成のうち、液晶パネルは少なくとも画像表示領域Ａを備え、電源回路４００は液晶パネルの外付け回路となる。走査線駆動回路１００１００Ａおよび１００Ｂ、データ線駆動回路２００、および制御回路３００は、液晶パネルに取り込んでもよいし、あるいは、外付け回路としてもよい。この例では、液晶パネルの素子基板上に、画像表示領域Ａ、走査線駆動回路１００Ａおよび１００Ｂ、およびデータ線駆動回路２００が形成されているものとする。
【００２４】
画像表示領域Ａには、２ｎ（ｎは２以上の自然数）本の走査線１０と、ｍ（ｍは２以上の自然数）本のデータ線２０と、走査線１０およびデータ線２０の交差に対応してｎ×ｍ個の画素５０が設けられている。画素５０には、図示せぬバックライトからの光が入射され、透過率が調整される。これによって、光変調による階調表示が可能となる。本実施形態は、透過型の液晶パネルを例示するが、反射型あるいは半透過反射型の液晶パネルであってもよいことは勿論である。
２ｎ本の走査線１０のうち、上半部の走査線１０は走査線駆動回路１００Ａによって駆動され、下半分の走査線１０は走査線駆動回路１００Ｂによって駆動される。
【００２５】
制御回路３００は、Ｘ転送開始パルスＤＸ、Ｘクロック信号ＸＣＫ、および画像データＤなどを生成してデータ線駆動回路２００に供給すると共に、Ｙ転送開始パルスＤＹ、Ｙクロック信号ＹＣＫ、イネーブル信号ＥＮ１およびＥＮ２を生成して走査線駆動回路１００Ａおよび１００Ｂに供給する。
【００２６】
図２に画素５０の電気的な構成を示し、図３に画像表示領域Ａの一部の構造を模式的に示す。画素５０は、液晶素子６０、データ線５０と液晶素子６０との間に設けられた選択トランジスタ５１、および保持容量５２を備える。素子基板８０には、選択トランジスタ５１が形成されており、その上に画素電極５３が形成されている。一方、対向基板７０の下面には対向電極５４が全面に形成されている。そして、所定のギャップを介して画素電極５３と対向電極５４が向かい合うように配置されており、これらの間に液晶ＬＣが充填されている。
【００２７】
このような構成において、走査線１０を介して供給される走査信号Ｙがアクティブになると、選択トランジスタ５１がオン状態となり、データ電位ＤＡＴが液晶素子６０に書き込まれる。そして、走査信号Ｙが非アクティブになると、選択トランジスタ５１がオフ状態となり、書き込まれたデータ電位ＤＡＴが保持されることになる。保持容量５２は画素電極５３と保持容量線３０との間に設けられている。実際の選択トランジスタ５１は、完全なオフ状態にならず一定のリーク電流が発生するが、保持容量５２を設けることによって、リーク電流の影響を低減してデータ電位ＤＡＴが保持特性を向上させることができる。
【００２８】
本実施形態において、液晶素子６０はノーマリーブラックモードに設定されている。このため、液晶素子６０の透過率は、画素電極５３および対向電極５４とによる差電圧の実効値が小さくなるにつれて暗くなり、電圧無印加状態においてほぼ黒色となる。ただし、本実施形態において、画素電極５３には、上記差電圧を飽和電圧以上とさせるオン電圧、または、しきい値電圧以下のオフ電圧のいずれか一方の電圧のみが印加される。
【００２９】
ノーマリーブラックモードにおいて、最も暗い状態の透過率を相対透過率０％とし、最も明るい状態の反射率を相対透過率１００％としたとき、液晶素子６０に印加される電圧のうち、相対透過率が１０％となる電圧を光学的しきい値電圧といい、相対透過率が９０％となる電圧を光学的飽和電圧という。電圧変調方式（アナログ駆動）において、液晶素子６０を中間調（灰色）とさせる場合には、液晶ＬＣに光学的飽和電圧以下の電圧が印加されるように設計される。このため、液晶ＬＣの透過率は、液晶ＬＣの印加電圧にほぼ比例した値となる。
これに対して、本実施形態では、液晶素子６０に印加する電圧としては、オン電圧とオフ電圧との２つのみを用いて階調表示が行われる。詳細には、本実施形態において階調表示は、１フレームを複数のサブフィールドに分割するとともに、液晶素子６０にオンまたはオフ電圧を印加する期間を、サブフィールドを単位として配分することによって実行される。
【００３０】
保持容量線３０には、電源回路４００から保持容量電位ＶＣＯＭが供給される一方、対向電極５４には電源回路４００から対向電極電位ＬＣＣＯＭが供給される。保持容量電位ＶＣＯＭと対向電極電位ＬＣＣＯＭとは必ずしも一致しなくてもよいが、本実施形態では両者の電位を一致させる。これによって、電源回路４００の構成を簡素化できる。また、電源回路４００は、所定周期（この例では、１フレーム）で、保持容量電位ＶＣＯＭおよび対向電極電位ＬＣＣＯＭの電位を基準電位を中心として極性を反転させる。ここで、基準電位は、データ電位ＤＡＴの最大値と最小値との間の固定電位であればよいが、電源の効率化の観点より、データ電位ＤＡＴの最大値と最小値との中心に設定している。
【００３１】
次に、本実施形態で採用するサブフィールド駆動について、説明する。図４にサブフィールドの構成を示す。この図において、１フレームとは、１枚分の画像を形成するのに要する期間をいう。本実施形態において１フレームの期間は、１２個のフィールドに分割される。さらに、第１〜第１１フィールドは３つのサブフィールドＳＦ１、ＳＦ２、およびＳＦ３に分割されている。また、第１２サブフィールドは、２つのサブフィールドＳＦ１およびＳＦ２に分割されている。したがって、１フレームは、３５個のサブフィールドに分割される。
ここで、第１フィールドから第１１フィールドまでの期間Ｔａは、サブフィールドＳＦ１〜ＳＦ３の長さに重み付けがなされている。一方、第１２フィールドの期間Ｔｂにおいては、サブフィールドＳＦ１およびＳＦ２の長さが等しくなるように設定されている。
【００３２】
図５に、１フレームを構成する各サブフィードにおける走査線の選択を示す。なお、以下の説明では、理解を容易にするため、走査線１０の数「ｎ」を１６本とし、第１行〜第１６行の走査線１０をＬ１〜Ｌ１６で表す。
本実施形態では、１６本の走査線Ｌ１〜Ｌ１６を２つのグループＧ１およびＧ２に分割している。各グループに属する８本の走査線は、走査線選択期間ごとに順次排他的に選択される。
【００３３】
図５において、反転期間Ｔｚは、対向電極電位ＬＣＣＯＭの極性を反転させる期間である。また、ハッチングで示す部分は、後述するリセット電位Ｒを画素５０で保持するリセット期間Ｔｙである。また、書込期間Ｔｘは、階調に応じたオン電圧またはオフ電圧の一方を画素５０に書き込む期間である。
【００３４】
ここで、リセット電位Ｒは、例えば、対向電極電位ＬＣＣＯＭとする。したがって、リセット期間Ｔｙは、階調表示に寄与しない期間である。本実施形態では、リセット期間Ｔｙを構成する各走査線選択期間の各々において、異なるグループＧ１およびＧ２に属する２本の走査線を選択して２行の画素５０にリセット電位Ｒを書き込む。このため、１６本の走査線を走査線選択期間ごとに順次選択する場合と比較して、リセット期間Ｔｙを短くすることができる。仮に、１６本の走査線をＬ１からＬ１６に向けて順次選択するとすれば、図６に示すようにリセット期間Ｔｙが長くなってしまう。
オン電圧とオフ電圧の一方を画素５０に書き込むサブフレーム駆動においては、１フレームに占めるリセット期間Ｔｙが短い程、書込期間Ｔｚが長くなり、表示可能な階調数が多くなる。よって、本実施形態によれば、リセット期間Ｔｙを短くすることによって、高品質な画像を表示することが可能となる。
【００３５】
図７に、走査線駆動回路１００Ａおよび１００Ｂの構成を示す。この図に示すように、走査線駆動回路１００Ａおよび１００Ｂは、開始パルスＤＹをＹクロック信号ＹＣＫに従って順次シフトしてシフト信号Ｓ１〜ＳｎまたはＳn+1〜Ｓ2ｎを生成するシフトレジスタ１１０と、４個のアンド回路を備える。開始パルスＤＸは、各サブフィールドＳＦ１〜ＳＦ３の最初の走査線選択期間でアクティブとなる。
【００３６】
走査線駆動回路１００Ａのアンド回路１３０には、イネーブル信号ＥＮ１が供給される一方、走査線駆動回路１００Ｂのアンド回路１３０には、イネーブル信号ＥＮ２が供給される。イネーブル信号ＥＮ１は１走査線選択期間１Ｈの前半でアクティブとなり、イネーブル信号ＥＮ２は１走査線選択期間１Ｈの後半でアクティブとなる。
【００３７】
図８に走査線駆動回路１００Ａおよび１００Ｂのタイミングチャートを示す。この図に示すようにシフト信号Ｓ１〜Ｓ８は排他的に順次アクティブとなり、同様にシフト信号Ｓ９〜Ｓ１６は排他的に順次アクティブとなる。
そして、イネーブル信号ＥＮ１およびＥＮ２によって、シフト信号Ｓ１〜Ｓ１６のアクティブとなる期間が制限されることによって、走査信号Ｙ１〜Ｙ１６が生成される。この結果、Ｙ１→Ｙ９→Ｙ２→Ｙ１０→Ｙ３→Ｙ１１…Ｙ８→Ｙ１６の順に走査信号がアクティブとなる。
シフト信号Ｓ３およびＳ１１がアクティブとなる第３番目の走査線選択期間に着目する。ここで、当該期間における第ｊ列のデータ信号ＤＡＴｊは、図に示すように、第３行第ｊ列の画素５０に供給するデータ信号Ｄ（３，ｊ）と、第１１行第ｊ列の画素５０に供給するデータ信号Ｄ（１１，ｊ）とが時分割多重されている。
このように、データ線駆動回路２００は、時分割多重されたデータ信号ＤＡＴｊを生成し、これと同期して１走査線選択期間で複数の走査線１０を排他的に選択することによって、１走査線選択期間に複数の行の画素５０に書き込みを実行している。
【００３８】
次に、画素５０の駆動について説明する。まず、図５に示す第１フィールドの開始から、第１２フィールドのサブフレームＳＦ１までの書込期間Ｔｘは、階調表示のためのデータ信号ＤＡＴが各サブフィールドごとに書き込まれる。この場合、各画素５０には、オン電圧またはオフ電圧の一方が書き込まれる。
【００３９】
次に、第１２フィールドのサブフィールドＳＦ２はリセット期間Ｔｙであり、対向電極電位ＬＣＣＯＭがデータ電位ＤＡＴ１〜ＤＡＴｍとしてデータ線駆動回路２００から供給される。この結果、画素５０において画素電極５３の電位ＰＩＸが対向電極電位ＬＣＣＯＭに遷移する。
次に、リセット期間Ｔｙに続く反転期間Ｔｚでは、Ｙクロック信号ＹＣＫが停止し（ローレベルに固定）、走査線駆動回路１００は走査線１０を選択せず全ての走査信号Ｙ１〜Ｙ１６を非アクティブとする。反転期間Ｔｚにおいて、電源回路４００が保持容量電位ＶＣＯＭおよび対向電極電位ＬＣＣＯＭの極性を反転する。
【００４０】
図９に書込期間Ｔｘにおいて正極性の黒表示（消灯）である場合の各部の電位変化を示す。この例では、点灯に対応するデータ電位ＤＡＴを「Ｖ１」、消灯に対応するデータ電位ＤＡＴを「Ｖ２」とする。すなわち、データ電位ＤＡＴの最大電位がＶ１であり、最小電位がＶ２である。そして、最大電位Ｖ１と最小電位Ｖ２との中心を中心電位Ｖｃとする。さらに、対向電極電位ＬＣＣＯＭは、最小電位Ｖ１と最大電位Ｖ２の一方のレベルとする。
【００４１】
書込期間Ｔｘにおいて、走査信号Ｙがハイレベルとなり、対向電極電位ＬＣＣＯＭ（＝Ｖ２）に対して正極性のデータ電位ＤＡＴ（＝Ｖ１）が画素５０に書き込まれる。この場合、画素電極５３の電位ＰＩＸは、「Ｖ１」となる。
リセット期間Ｔｙでは、データ電位ＤＡＴとして対向電極電位ＬＣＣＯＭがデータ線２０に供給され、「Ｖ２」が画素５０に書き込まれる。この結果、画素電極５３の電位ＰＩＸは、「Ｖ２」となる。
さらに、反転期間Ｔｚでは、対向電極電位ＬＣＣＯＭの極性が反転されるので、対向電極電位ＬＣＣＯＭおよび保持容量電位ＶＣＯＭが「Ｖ２」から「Ｖ１」へ遷移する。とのとき、選択トランジスタ５１はオフ状態となっているので、画素電極５３の電位ＰＩＸも「Ｖ２」から「Ｖ１」へ遷移する。
【００４２】
図１０に次のフレームの書込期間Ｔｘにおけるｉ行ｊ列の画素とｉ＋１行ｊ列の画素の各部の電位を示す。ｉは１≦ｉ＜ｎ-１の自然数であり、ｊはｉは１≦ｊ＜ｍ-１の自然数である。まず、直前のフレームでは正極性の黒表示が行われていたため、次のフレームでは、データ電位ＤＡＴの極性が反転され、負極性の黒表示が実行される。つまり、隣接するフレームで対向電極電位ＬＣＣＯＭを基準として、データ電位ＤＡＴの極性を反転させる。したがって、データ電位ＤＡＴｊとしてＶ２が供給される。ｉ行ｊ列の画素５０ｉでは、画素電極５３の電位ＰＩＸが「Ｖ１」から「Ｖ２」へ変化する。このとき、ｉ＋１行ｊ列の画素５０ｉ＋１では、選択トランジスタ５１がオフ状態となっており、そのドレイン・ソース間には、電圧Ｖ１−Ｖ２が印加される。
ここで、電圧Ｖ１−Ｖ２は、データ電位ＤＡＴの振幅となっており、従来の駆動方法（図２２参照）と比較して、ドレイン・ソース間の電圧を半分に低減することができる。これにより、選択トランジスタ５１の耐圧を下げることができる。
【００４３】
このように、選択トランジスタ５１のドレイン・ソース間の電圧を低減できるのは、対向電極電位ＬＣＣＯＭおよび保持容量線電位ＶＣＯＭの極性反転の前に、画素電極５３の電位ＰＩＸを対向電極電位ＬＣＣＯＭに一致させたからである。
仮に、図５に示すリセット期間Ｔｙを設けないと、反転期間Ｔｚにおいて対向電極電位ＬＣＣＯＭの極性が反転して、その電位が「Ｖ２」から「Ｖ１」に上昇すると、画素電極５３の電位ＰＩＸがＶ１からさらに上昇し２Ｖ１−Ｖ２となる。そうすると、次のフレームにおいてデータ電位ＤＡＴ＝Ｖ２が書き込まれたときに、画素５０ｉ＋１の選択トランジスタ５１のドレイン・ソース間に２（Ｖ１−Ｖ２）が印加されることになる。この場合には、データ電位ＤＡＴの２倍の振幅が選択トランジスタ５１に印加されてしまう。
【００４４】
以上、説明したように本実施形態によれば、選択トランジスタ５１に印加される電圧を低減することができるので、信頼性を向上させることができ、耐圧の低いトランジスタを用いることが可能となる。
【００４５】
＜２．第２実施形態＞
次に、第２実施形態について説明する。第２実施形態に係る電気光学装置は、図１に示す第１実施形態の電気光学装置１Ａにおいて、走査線駆動回路１００Ｂの走査線１０を選択する順序が逆転する点を除いて同一である。すなわち、第１実施形態の走査線駆動回路１００Ｂは、走査信号をＹｎ→Ｙｎ+１→Ｙｎ+２…→Ｙ２ｎの順にアクティブにしたが、第２実施形態の走査線駆動回路１００Ｂは、走査信号をＹ２ｎ→Ｙ２ｎ-１→Ｙ２ｎ-２…→Ｙｎ+１の順にアクティブにする。
【００４６】
図１１に走査信号とデータ電位のタイミングチャートを示す。この例では、ｎ＝８とする。この図に示すようにシフト信号Ｓ１〜Ｓ８は、Ｓ１→Ｓ２→…→Ｓ８の順に排他的にアクティブとなり、シフト信号Ｓ９〜Ｓ１６は、Ｓ１６→Ｓ１５→…→Ｓ９の順に排他的にアクティブとなる。
そして、イネーブル信号ＥＮ１およびＥＮ２によって、シフト信号Ｓ１〜Ｓ１６のアクティブとなる期間が制限されることによって、走査信号Ｙ１〜Ｙ１６が生成される。この結果、Ｙ１→Ｙ１６→Ｙ２→Ｙ１５→Ｙ３→Ｙ１４…Ｙ８→Ｙ９の順に走査信号がアクティブとなる。
シフト信号Ｓ３およびＳ１４がアクティブとなる第３番目の走査線選択期間に着目する。ここで、当該期間における第ｊ列のデータ信号ＤＡＴｊは、図に示すように、第３行第ｊ列の画素５０に供給するデータ信号Ｄ（３，ｊ）と、第１４行第ｊ列の画素５０に供給するデータ信号Ｄ（１４，ｊ）とが時分割多重されている。データ線駆動回路２００は、時分割多重されたデータ信号ＤＡＴｊを生成し、これと同期して１走査線選択期間で複数の走査線１０を排他的に選択することによって、１走査線選択期間に複数の行の画素５０に書き込みを実行している。
【００４７】
図１２に、１フレームを構成する各サブフィードにおける走査線の選択を示す。第１実施形態では、走査線駆動回路１００Ａと１００Ｂの境界、すなわち、図５に示す走査線Ｌ８とＬ９の境目において、輝度差が視認される可能性がある。第８行目の画素５０では、リセット電位Ｒが書き込まれた後、直ちに対向電極電位ＬＣＣＯＭの極性が反転されるのに対して、第９行目の画素５０では、リセット電位Ｒが書き込まれて１サブフィールド分の時間が経過して対向電極電位ＬＣＣＯＭの極性が反転しているため、駆動条件が大きく相違する。このように駆動条件が相違すると、輝度差として人の視覚で認識される可能性がある。より具体的には、図２に示す実際の選択トランジスタ５１には、オフ状態において微小な漏れ電流がある。このため、リセット電位Ｒを書き込んだ直後と、所定時間が経過した後では、画素電極５３の電位が異なる。この結果、表示される階調に微妙なズレが発生する可能性がある。
これに対して、本実施形態では、走査線駆動回路１００Ａおよび１００Ｂを上下対象に設け、走査方向を向かいあわせとすることによって、境界部分での輝度差を大幅に低減することができる。
なお、第２実施形態においても第１実施形態において図９および図１０を参照して説明したように、リセット期間Ｔｙにおいてリセット電位Ｒを書き込んだ後、反転期間Ｔｚにおいて対向電極電位ＬＣＣＯＭの極性を反転させることによって、選択トランジスタ５１の耐圧を下げて信頼性を向上させることができる。
【００４８】
＜３．第３実施形態＞
次に、第３実施形態に係る電気光学装置１Ｂについて説明する。図１３に電気光学装置１Ｂの構成を示す。電気光学装置１Ｂが、電気光学装置１Ａと相違するのは、走査線駆動回路１００Ａおよび１００Ｂの替わりに走査線駆動回路１００Ｃおよび１００Ｄを用いる点、データ線駆動回路２００の替わりにデータ線駆動回路２００Ａおよび２００Ｂを用いる点、およびデータ線２０が上下に分割されている点である。
【００４９】
この例では、第１行から第ｎ行の走査線１０（第１走査線）は、走査線駆動回路１００Ｃによって駆動され、第ｎ+１行から第２ｎ行の走査線１０（第２走査線）は走査線駆動回路１００Ｄによって駆動される。以下の説明では、走査線駆動回路１００Ｃによって駆動される上半部の走査線１０を第１走査線１０ａと、走査線駆動回路１００Ｄによって駆動される下半部の走査線１０を第２走査線１０ｂと称する。また、第１走査線１０ａが配置される画像表示領域Ａのデータ線２０を第１データ線２０ａと、第２走査線１０ｂが配置される画像表示領域Ａのデータ線２０を第２データ線２０ｂと称する。また、以下の説明では、理解を容易にするため、ｎ＝８の場合を例示する。
【００５０】
走査線駆動回路１００Ｃおよび１００Ｄは、図７に示す走査線駆動回路１００Ａおよび１００Ｂから、アンド回路１３０を除いて構成されており、シフト信号Ｓ１〜Ｓ１６を走査信号Ｙ１〜Ｙ１６として直接生成する。このため、イネーブル信号ＥＮ１およびＥＮ２により、走査信号Ｙ１〜Ｙ１６のアクティブ期間が１走査線選択期間の前半または後半に制限されることはない。この結果、図１４に示すように、各走査線選択期間１Ｈごとに２つの走査信号が同時にアクティブとなり、２本の走査線１０が同時に選択される。詳細には、同時にアクティブとなる２つの走査信号は、一方は第１走査線１０ａに供給され、他方は第２走査線１０ｂに供給される。ここで、データ線２０は上下に分割されており、１列が第１データ線１０ａと第２データ線２０ｂとで構成されるから、１本のデータ線２０に同時にデータ電位ＤＡＴが供給されることはない。
【００５１】
図１４に走査信号とデータ電位のタイミングチャートを示す。この図に示すように走査信号Ｙ１〜Ｙ８は走査線選択期間ごとに排他的にアクティブとなり、走査信号Ｙ９〜Ｙ１６は走査線選択期間ごとに排他的にアクティブとなる。走査信号Ｙ３およびＹ１１がアクティブとなる第３番目の走査線選択期間に着目する。当該期間において、第１データ線駆動回路２００Ａは、ｊ番目の第１データ線２０ａにデータ電位ＤＡＴａｊとしてＤ（３，ｊ）を出力する。これによって、第３行第ｊ列の画素５０にＤ（３，ｊ）が書き込まれる。また、当該期間において、第２データ線駆動回路２００Ｂは、ｊ番目の第１データ線２０ｂにデータ電位ＤＡＴｂｊとしてＤ（１１，ｊ）を出力する。これによって、第１１行第ｊ列の画素５０にＤ（１１，ｊ）が書き込まれる。
【００５２】
このように、データ線２０の上下に分割し、第１データ線駆動回路２００Ａと第２データ線駆動回路２００Ｂとを用いて駆動することにより、走査線を選択する期間を長くすることができる。データ線に寄生容量が付随するため、データ電位の書き込みには、ある程度の時間を要する。充分な時間を確保できないと、正確なデータ電位を書き込むことができず、階調表示の精度が低下する。第３実施形態によれば、第１および第２実施形態ように１走査線選択期間を時間的に分割してデータ電位を書き込む必要がないので、階調表示の精度を向上させることが可能となる。
【００５３】
なお、第３実施形態においても、第２実施形態と同様に走査線駆動回路１００Ｃと走査線駆動回路１００Ｄの走査方向を逆にしてもよい。例えば、走査線駆動回路１００Ｃの走査方向が上から下である場合には、走査線駆動回路１００Ｄの走査方向は下から上となる。
【００５４】
図１５に走査信号とデータ電位とのタイミングチャートを示す。この図に示すように走査信号Ｙ１〜Ｙ１６は、Ｙ１，Ｙ１６→Ｙ２，Ｙ１５→Ｙ３，Ｙ１４→…Ｙ８，Ｙ９の順にアクティブとなる。走査信号Ｙ３およびＹ１４がアクティブとなる第３番目の走査線選択期間に着目する。当該期間において、第１データ線駆動回路２００Ａは、ｊ番目の第１データ線２０ａにデータ電位ＤＡＴａｊとしてＤ（３，ｊ）を出力すると共に、第２データ線駆動回路２００Ｂは、ｊ番目の第１データ線２０ｂにデータ電位ＤＡＴｂｊとしてＤ（１４，ｊ）を出力する。これによって、第３行第ｊ列の画素５０および第１４行第ｊ列の画素５０にＤ（１４，ｊ）が書き込まれる。
【００５５】
このように、走査線駆動回路１００Ｃと走査線駆動回路１００Ｄの走査方向を逆にすることによって、第２実施形態で説明した図１２と同様に、リセット期間Ｔｙを設けることができるので、境界部分での輝度差を大幅に低減することができる。
なお、第３実施形態においても第１実施形態において図９および図１０を参照して説明したように、リセット期間Ｔｙにおいてリセット電位Ｒを書き込んだ後、反転期間Ｔｚにおいて対向電極電位ＬＣＣＯＭの極性を反転させることによって、選択トランジスタ５１の耐圧を下げて信頼性を向上させることができる。
【００５６】
＜４．第４実施形態＞
次に、第４実施形態について説明する。図１６に第４実施形態に係る電気光学装置１Ｃの構成を示す。図１に示す第１実施形態の電気光学装置１Ａは、走査線駆動回路１００Ａで上半分の走査線１０を駆動する共に、走査線駆動回路１００Ｂで下半分の走査線１０を駆動した。これに対して、電気光学装置１Ｃにおいては、走査線駆動回路１００Ａおよび１００Ｂが画像表示領域Ａを挟んで左右に配置されており、走査線駆動回路１００Ａが奇数番目の走査線１０を駆動し、走査線駆動回路１００Ｂが偶数番目の走査線１０を駆動する。
【００５７】
図１７に走査線駆動回路１００Ａおよび１００Ｂのタイミングチャートを示す。この図に示すようにシフト信号Ｓ１、Ｓ３、…、Ｓ１５は排他的に順次アクティブとなり、同様にシフト信号Ｓ２、Ｓ４、…、Ｓ１６は排他的に順次アクティブとなる。
そして、イネーブル信号ＥＮ１およびＥＮ２によって、シフト信号Ｓ１〜Ｓ１６のアクティブとなる期間が制限されることによって、走査信号Ｙ１〜Ｙ１６が生成される。この結果、Ｙ１→Ｙ２→Ｙ３→Ｙ４→…→Ｙ１６の順に走査信号がアクティブとなる。
【００５８】
シフト信号Ｓ５およびＳ６がアクティブとなる第３番目の走査線選択期間に着目する。ここで、当該期間における第ｊ列のデータ信号ＤＡＴｊは、図に示すように、第５行第ｊ列の画素５０に供給するデータ信号Ｄ（５，ｊ）と、第６行第ｊ列の画素５０に供給するデータ信号Ｄ（６，ｊ）とが時分割多重されている。
このように、データ線駆動回路２００は、時分割多重されたデータ信号ＤＡＴｊを生成し、これと同期して１走査線選択期間で複数の走査線１０を排他的に選択することによって、１走査線選択期間に複数の行の画素５０に書き込みを実行している。
この結果、１走査線選択期間に２行の画素５０にリセット電位Ｒを書き込むことができるので、リセット期間Ｔｙを短くして、その分、書込期間Ｔｘを長くできるので、高品質な画像を表示することが可能となる。
【００５９】
なお、第４実施形態においても、第２実施形態と同様に走査線駆動回路１００Ａと走査線駆動回路１００Ｂの走査方向を逆にしてもよい。例えば、走査線駆動回路１００Ａの走査方向が上から下である場合には、走査線駆動回路１００Ｂの走査方向は下から上となる。
【００６０】
図１８に走査信号とデータ電位とのタイミングチャートを示す。この図に示すように走査信号Ｙ１〜Ｙ１６は、Ｙ１→Ｙ１６→Ｙ３→Ｙ１４→…Ｙ１５→Ｙ２の順にアクティブとなる。走査信号Ｙ５およびＹ１２がアクティブとなる第３番目の走査線選択期間に着目する。ここで、当該期間における第ｊ列のデータ信号ＤＡＴｊは、図に示すように、第５行第ｊ列の画素５０に供給するデータ信号Ｄ（５，ｊ）と、第１２行第ｊ列の画素５０に供給するデータ信号Ｄ（１２，ｊ）とが時分割多重されている。データ線駆動回路２００は、時分割多重されたデータ信号ＤＡＴｊを生成し、これと同期して１走査線選択期間で複数の走査線１０を排他的に選択することによって、１走査線選択期間に複数の行の画素５０に書き込みを実行している。
【００６１】
この場合、リセット期間Ｔｙにおいてリセット電位Ｒが書き込まれてから、反転期間Ｔｚにおいて対向電極電位ＬＣＣＯＭが反転するまでの時間の隣接する行間の差（例えば、第１行と第２行の差）は、画像表示領域の中心から離れるについて、次第に大きくなる。したがって、人の視覚で認識される輝度差を低減することができる。
なお、第４実施形態においても第１実施形態において図９および図１０を参照して説明したように、リセット期間Ｔｙにおいてリセット電位Ｒを書き込んだ後、反転期間Ｔｚにおいて対向電極電位ＬＣＣＯＭの極性を反転させることによって、選択トランジスタ５１の耐圧を下げて信頼性を向上させることができる。
【００６２】
＜５．変形例＞
本発明は、上述した実施形態に限定されるものではなく、例えば、以下に述べる各種の変形が可能である。
（１）上述した実施形態では、１フレームを複数のフィールドに分割し、第１〜第１１フィールドでは、各フィールドを時間的に重み付けを付与した複数のサブフィールドで構成した。すなわち、第１〜第１１フィールドの各々では、異なる時間長を有するサブフィールドを繰り返し、その繰り返しの単位がフィールドであった。しかしながら、本発明はこれに限定されるものではなく、第１〜第１２フィールドを一つの単位として捉え、この期間を複数のサブフィールドに分割して駆動してもよい。この場合、複数のサブフィールドの長さに重み付けをしてもよいし、その一部または全部を等しい長さとしてもよい。
【００６３】
（２）上述した実施形態では、１フレームに１回、書込期間Ｔｘ→リセット期間Ｔｙ→反転期間Ｔｚを実行したが、この動作のサイクルを複数回行ってもよい。このように、１フレームに複数回の極性反転を実行することによって、フリッカを低減することが可能となる。
【００６４】
（３）上述した実施形態および変形例では、点灯・消灯の２値のデータ電位ＤＡＴを書き込むサブフィールド駆動を一例として、説明したが、３値以上のデータ電位ＤＡＴを書き込むサブフィールド駆動であってもよい。要は、対向電極電位ＬＣＣＯＭの極性反転に先立って、画素電極５３の電位ＰＩＸを対向電極電位ＬＣＣＯＭと一致させるのであれば、どのような駆動であってあってもよい。
【００６５】
（４）上述した実施形態および変形例において、リセット期間Ｔｙでは、画素電極５３の電位ＰＩＸを対向電極電位ＬＣＣＯＭと一致させるようにしたが、必ずしも一致させる必要はなく、リセット前の画素電極５３の電位ＰＩＸと対向電極電位ＬＣＣＯＭとの電位差が減少するようにリセット電位Ｒを設定してもよい。最も大きな効果が得られるのは、両者が一致する場合であるが、電位差が減少すれば、減少分だけ選択トランジスタ５１の耐圧を下げることができる。
（５）上述した実施形態および変形例において、１フレームは、あるフレームにおける第１フィールドのサブフレームＳＦ１において、各画素に階調に応じたオン電圧またはオフ電圧の一方を書き込んだ後、次のフレームにおける第１フィールドのサブフレームＳＦ１において、各画素に階調に応じたオン電圧またはオフ電圧の一方を書き込むまでの時間としたが、１フレームは、ある反転期間Ｔｚが終了した後、次の反転期間Ｔｚが開始されるまでの期間としてもよい。１フレームの期間を変更する場合には、１枚分の画像に対応する画像信号の各フィールドの各サブフレームに対する割り当てを変更すればよい。
【００６６】
＜６．電子機器＞
次に、上述した実施形態および変形例に係る電気光学装置１Ａ（１Ｂ，１Ｃ）を適用した電子機器について説明する。図１９に、電気光学装置１Ａ（１Ｂ，１Ｃ）を適用したモバイル型のパーソナルコンピュータの構成を示す。パーソナルコンピュータ２０００は、表示ユニットとしての電気光学装置１Ａと本体部２０１０を備える。本体部２０１０には、電源スイッチ２００１及びキーボード２００２が設けられている。
図２０に、電気光学装置１Ａ（１Ｂ，１Ｃ）を適用した携帯電話機の構成を示す。携帯電話機３０００は、複数の操作ボタン３００１及びスクロールボタン３００２、並びに表示ユニットとしての電気光学装置１Ａ（１Ｂ，１Ｃ）を備える。スクロールボタン３００２を操作することによって、電気光学装置１Ａ（１Ｂ，１Ｃ）に表示される画面がスクロールされる。
図２１に、電気光学装置１Ａ（１Ｂ，１Ｃ）を適用した情報携帯端末（ＰＤＡ：Personal Digital Assistants）の構成を示す。情報携帯端末４０００は、複数の操作ボタン４００１及び電源スイッチ４００２、並びに表示ユニットとしての電気光学装置１Ａ（１Ｂ，１Ｃ）を備える。電源スイッチ４００２を操作すると、住所録やスケジュール帳といった各種の情報が電気光学装置１Ａ（１Ｂ，１Ｃ）に表示される。
なお、電気光学装置１Ａ（１Ｂ，１Ｃ）が適用される電子機器としては、図１９〜図２１に示すものの他、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等などが挙げられる。そして、これらの各種電子機器の表示部として、前述した電気光学装置１Ａ（１Ｂ，１Ｃ）が適用可能である。
【図面の簡単な説明】
【００６７】
【図１】本発明の第１実施形態に係る電気光学装置１Ａの全体構成を示すブロック図である。
【図２】同装置の画素５０の構成を示す回路図である。
【図３】画像表示領域Ａの一部の構造を示す模式図である。
【図４】１フレームを構成するサブフィールドの構造を示す説明図である。
【図５】１フレームを構成するサブフィールドの構造を示す説明図である。
【図６】リセット期間において１走査線選択期間に１本の走査線を選択した場合における１フレームを構成するサブフィールドの構造を示す説明図である。
【図７】走査線駆動回路１００Ａおとび１００Ｂの構成を示す回路図である。
【図８】走査信号とデータ電位のタイミングチャートである。
【図９】あるフレームにおける正極性の黒表示を一例として説明する説明図である。
【図１０】次のフレームの書込期間におけるｉ行ｊ列の画素とｉ＋１行ｊ列の画素の各部の電位を示す説明図である。
【図１１】第２実施形態において走査線駆動回路１００Ｂの走査方向を走査線駆動回路１００Ａの走査方向と逆にした場合の走査信号とデータ電位のタイミングチャートである。
【図１２】１フレームを構成するサブフィールドの構造を示す説明図である。
【図１３】本発明の第３実施形態に係る電気光学装置１Ｂの全体構成を示すブロック図である。
【図１４】走査信号とデータ電位のタイミングチャートである。
【図１５】第３実施形態において走査線駆動回路１００Ｃの走査方向を走査線駆動回路１００Ｄの走査方向と逆にした場合の走査信号とデータ電位のタイミングチャートである。
【図１６】本発明の第４実施形態に係る電気光学装置１Ｃの全体構成を示すブロック図である。
【図１７】走査信号とデータ電位のタイミングチャートである。
【図１８】第４実施形態において走査線駆動回路１００Ｂの走査方向を走査線駆動回路１００Ａの走査方向と逆にした場合の走査信号とデータ電位のタイミングチャートである。
【図１９】同電気光学装置を適用した電子機器の一例たるパーソナルコンピュータの構成を示す斜視図である。
【図２０】同電気光学装置を適用した電子機器の一例たる携帯電話の構成を示す斜視図である。
【図２１】同電気光学装置を適用した電子機器の一例たる携帯情報端末の構成を示す斜視図である。
【図２２】従来の駆動方法による画素の各部の電位変化を示す説明図である。
【符号の説明】
【００６８】
１Ａ，１Ｂ，１Ｃ…電気光学装置、１０…走査線、２０…データ線、１００Ａ，１００Ｂ，１００Ｃ,１００Ｄ…走査線駆動回路、２００，２００Ａ，２００Ｂ…データ線駆動回路、３００…制御回路、４００…電源回路、５１…選択トランジスタ、５０…画素、５３…画素電極、５４…対向電極、ＬＣＣＯＭ…対向電極電位、ＶＣＯＭ…保持容量線電位。
【図１】
2010044295.tif 000003
【図２】
2010044295.tif 000004
【図３】
2010044295.tif 000005
【図４】
2010044295.tif 000006
【図５】
2010044295.tif 000007
【図６】
2010044295.tif 000008
【図７】
2010044295.tif 000009
【図８】
2010044295.tif 000010
【図９】
2010044295.tif 000011
【図１０】
2010044295.tif 000012
【図１１】
2010044295.tif 000013
【図１２】
2010044295.tif 000014
【図１３】
2010044295.tif 000015
【図１４】
2010044295.tif 000016
【図１５】
2010044295.tif 000017
【図１６】
2010044295.tif 000018
【図１７】
2010044295.tif 000019
【図１８】
2010044295.tif 000020
【図１９】
2010044295.tif 000021
【図２０】
2010044295.tif 000022
【図２１】
2010044295.tif 000023
【図２２】
2010044295.tif 000024